(57)【特許請求の範囲】
【請求項１】
封印シールと、
甲ケース体と乙ケース体とで開閉可能に構成され且つ内部に基板を格納可能な基板ケースと、
前記基板ケースに設けられ且つ前記甲ケース体と前記乙ケース体とに跨がって前記封印シールを貼付可能な封印シール貼付部とを備え、
前記封印シールに、当該封印シールに固有の識別情報と固有でない非識別情報とが表示された
遊技機において、
前記封印シールに、所定方向の略全長に亘って帯状のホログラム部を設け、
前記封印シール貼付部は、一又は複数の屈曲部を介して連続する複数の貼付面を備え、
前記複数の貼付面に跨がり且つ前記ホログラム部が前記屈曲部と交差するように前記封印シールを貼付し、
前記封印シールに、前記非識別情報の表示領域と前記ホログラム部とを避けず、前記識別情報の表示領域を避けて切込み部を設け、
前記切込み部を前記屈曲部にかからない位置に配置した
ことを特徴とする遊技機。
【発明の詳細な説明】
【技術分野】
【０００１】
本発明は、封印シールにより封印された基板ケースを備える遊技機に関するものである。
【背景技術】
【０００２】
パチンコ機等の遊技機では、制御基板等の各種基板が基板ケースに格納された状態で装着されている。それらの基板ケースには、必要に応じて不正防止用の封止手段が設けられている。この封止手段は、基板を格納した状態で基板ケースを封止するもので、一旦封止してしまうと、開封する場合には必ずその痕跡が残るようになっている。
【０００３】
また、遊技進行を統括的に制御する主制御基板を格納する主基板ケースについては、上記のような封止手段とは別に、固有の識別情報等がプリントされた封印シールにより封印されている（特許文献１）。
【先行技術文献】
【特許文献】
【０００４】
【特許文献１】特開２０１３−０５２２９３号公報
【発明の概要】
【発明が解決しようとする課題】
【０００５】
従来の遊技機では、封印シールに切込み部を設ける等、封印シールを不正に剥がし取る行為に対する対策は施されているが、封印シールを不正に複製し、或いは偽造する行為に対する対策は不十分であった。
【０００６】
本発明は上記事情に鑑みてなされたものであり、封印シールを不正に複製し、或いは偽造する行為を効果的に防止しうる遊技機を提供することを目的とする。
【課題を解決するための手段】
【０００７】
本発明は、封印シール４６と、甲ケース体４１と乙ケース体４２とで開閉可能に構成され且つ内部に基板２３を格納可能な基板ケース２４と、前記基板ケース２４に設けられ且つ前記甲ケース体４１と前記乙ケース体４２とに跨がって前記封印シール４６を貼付可能な封印シール貼付部４４とを備え、前記封印シール４６に、当該封印シール４６に固有の識別情報１０９ａ，１０９ｂと固有でない非識別情報１０８ａとが表示された遊技機において、前記封印シール４６に、所定方向の略全長に亘って帯状のホログラム部１０５を設け、前記封印シール貼付部４４は、一又は複数の屈曲部４４ｄ，４４ｅを介して連続する複数の貼付面４４ａ〜４４ｃを備え、前記複数の貼付面４４ａ〜４４ｃに跨がり且つ前記ホログラム部１０５が前記屈曲部４４ｄ，４４ｅと交差するように前記封印シール４６を貼付し、前記封印シール４６に、前記非識別情報１０８ａの表示領域と前記ホログラム部１０５とを避けず、前記識別情報１０９ａ，１０９ｂの表示領域を避けて切込み部１０２ｂを設け、前記切込み部１０２ｂを前記屈曲部４４ｄ，４４ｅにかからない位置に配置したものである。
【０００８】
この場合、前記ホログラム部１０５が前記甲ケース体４１と前記乙ケース体４２とに跨がるように前記封印シール４６を貼付してもよい。
【発明の効果】
【０００９】
本発明によれば、封印シールを不正に複製し、或いは偽造する行為を効果的に防止できる。
【図面の簡単な説明】
【００１０】
【図１】本発明の一実施形態を示すパチンコ機の全体正面図である。
【図２】同パチンコ機の遊技盤の背面図である。
【図３】同パチンコ機の集球ケース及び主基板ケースの分解斜視図である。
【図４】同パチンコ機の主基板ケースの背面図である。
【図５】同パチンコ機の主基板ケースの要部平面断面図である。
【図６】同パチンコ機の貼付ベース部、封印シール、シールカバー及び外カバーの分解斜視図である。
【図７】同パチンコ機の貼付ベース部、封印シール、シールカバー及び外カバーの分解斜視図である。
【図８】同パチンコ機の封印シールの全体図である。
【図９】同パチンコ機の主基板ケースの結合・封印手順を示す説明図である。
【図１０】同パチンコ機のシールカバーの外カバーへの装着手順を示す説明図である。
【図１１】同パチンコ機のシールカバー及び外カバーの貼付ベース部への装着手順を示す説明図である。
【図１２】同パチンコ機の遊技盤の部分拡大図である。
【図１３】同パチンコ機の外カバーの取り外し手順を示す説明図である。
【図１４】同パチンコ機のシールカバーの取り外し手順を示す説明図である。
【図１５】本発明の変更例を示す貼付ベース部、封印シール、シールカバー及び外カバーの分解斜視図である。
【図１６】同じく本発明の変更例を示す貼付ベース部及び封印シールの斜視図である。
【発明を実施するための形態】
【００１１】
以下、本発明の実施形態を図面に基づいて詳述する。図１〜図１４は本発明をパチンコ機に採用した一実施形態を例示している。なお、以下の説明における上下左右の方向については、特に基準を示さない限り遊技機本体を前側から見た場合の上下左右をいうものとする。
【００１２】
図１において、遊技機本体１は、矩形状の外枠２と、この外枠２の前側に開閉自在に枢着された前枠３とを備えている。前枠３は左端側の上下一対のヒンジ４を介して外枠２に着脱及び開閉自在に装着されている。前枠３の上部側には遊技盤５が例えば前側から着脱自在に装着されると共に、遊技盤５の前側にガラス扉６が、ガラス扉６の下側に隣接して前面開閉板７が夫々配置されている。ガラス扉６、前面開閉板７はヒンジ４と同一側のヒンジにより前枠３に開閉自在に枢支されている。前面開閉板７には、その前側に、発射手段８に供給するための遊技球を貯留する貯留皿９、発射手段８を作動させるための発射ハンドル１０等が設けられている。
【００１３】
遊技盤５の前側には、発射手段８により発射された遊技球を案内するガイドレール１１が環状に装着されると共に、そのガイドレール１１内の遊技領域１２には、画像表示手段１３を備えたセンターケース１４の他、通過ゲート１５、開閉式入賞手段１６、大入賞手段１７、普通入賞手段１８等の各種遊技部品が装着されている。
【００１４】
また、遊技盤５の裏側には、図２に示すように、センターケース１４等の遊技部品を後側から覆う裏カバー２１と集球ケース２２とが上下に配置され、例えば集球ケース２２の背面側に主制御基板（基板）２３が格納された主基板ケース（基板ケース）２４が、裏カバー２１の背面側に演出制御基板２５が格納された演出基板ケース２６、液晶制御基板２７が格納された液晶基板ケース２８が夫々着脱自在に装着されている。
【００１５】
集球ケース２２は、開閉式入賞手段１６、大入賞手段１７、普通入賞手段１８等に入賞して遊技盤５の裏側に案内された遊技球を集めて排出口２９から回収通路（図示省略）側へと案内するためのもので、図３に示すように上面側と前面側とが開放した略箱形に形成されており、裏カバー２１の下側に近接して配置され、遊技盤５の裏側に着脱自在に固定されている。
【００１６】
集球ケース２２の背面側には、例えばその略中央に主基板ケース２４を着脱自在に装着可能な主基板ケース装着部３１が設けられ、また例えばその主基板ケース装着部３１の一側には、遊技盤５を前枠３に装着したときに前枠３側のコネクタ（図示省略）に直接結合される遊技盤側コネクタ３２が複数配置されている。主基板ケース装着部３１は、集球ケース２２の背面側に設けられた装着開口部３３と、その装着開口部３３の上下両縁側に沿って配置される装着レール３４と、主基板ケース２４の一端側、例えば左端側を支持する第１支持手段３５と、この第１支持手段３５により一端側が保持された主基板ケース２４の他端側を解除可能に保持する締結つまみ等よりなる第２支持手段３６とを備えている。
【００１７】
この主基板ケース装着部３１に装着される主基板ケース２４は、全体として扁平な略矩形状であって、図３，図４等に示すように、互いに嵌め合わせ可能な表ケース体（甲ケース体）４１と裏ケース体（乙ケース体）４２とで構成されている。そして、主基板ケース２４の外周側の一辺、例えば左右方向の一端側で且つ遊技盤側コネクタ３２と反対側には、両ケース体４１，４２を閉状態で封止するための封止手段４３が例えば上下方向に複数個配置されると共に、他の一辺、例えば封止手段４３とは反対側の辺上には、封印シール貼付部４４が形成された貼付ベース部４５が設けられ、この封印シール貼付部４４に封印シール４６が貼付され、その封印シール４６を覆うようにシールカバー４７及び外カバー４８が装着されている。
【００１８】
主制御基板２３は例えば略矩形状であって、その一面側の電子部品装着面２３ａには、中央寄りの部分にＣＰＵ，ＲＯＭ，ＲＡＭ等の電子部品４９が配置され、外縁部近傍には複数のコネクタ５０が配置されている。
【００１９】
表ケース体４１は、例えば透明な合成樹脂製で、主制御基板２３の電子部品装着面２３ａ側に対向する膨出部５１と、主制御基板２３の各コネクタ５０に対応して膨出部５１の周辺部に形成された段部５２〜５４と、この段部５２〜５４よりも裏ケース体４２側に突出する表周壁部５５とを一体に備え、この表周壁部５５の内側に主制御基板２３が装着、固定され、各段部５２〜５４に形成された開口からコネクタ５０が外部に突出するようになっている。
【００２０】
裏ケース体４２は、例えば透明な合成樹脂製で、偏平な底板５６と、この底板５６の外周から表ケース体４１側に突出し且つ表ケース体４１の表周壁部５５が嵌脱自在に内嵌する裏周壁部５７とを一体に備えている。また、例えば裏ケース体４２の外縁部には、主基板ケース装着部３１の第２支持手段３６が係脱自在に係合する被係合部３６ａが外向きに一体形成されている。
【００２１】
表ケース体４１と裏ケース体４２とは、互いに嵌め合わされた状態で、その上下両側の側部係合手段５８によって閉状態にロックされる。即ち、側部係合手段５８は、表ケース体４１の表周壁部５５の上下二辺に沿って左右方向に所定間隔で複数個配置された外向き突出状の係合爪６１と、裏ケース体４２の裏周壁部５７の上下二辺に沿って各係合爪６１に対応して配置された複数個の切欠部６２と、同じく裏ケース体４２の裏周壁部５７の上下二辺に沿って各切欠部６２に隣接して設けられた複数の係合部６３とで構成されており、係合爪６１を夫々切欠部６２に嵌合させるように両ケース体４１，４２を嵌め合わせ（アンロック状態）、表ケース体４１を裏ケース体４２に対して左右方向の一方側に向けて相対的にスライドさせたとき（以下、この方向をスライド方向という）、各係合爪６１が係合部６３に夫々係合して、表ケース体４１と裏ケース体４２とが互いに結合状態でロックされる（ロック状態）ようになっている。
【００２２】
なお、表ケース体４１の上下の二辺には、図３に示すように表周壁部５５の内側に夫々裏ケース体４２の裏周壁部５７の嵌合代を挟んで内壁６４が設けられ、側部係合手段５８に生じる隙間を内側から塞いでいる。
【００２３】
封止手段４３は、表ケース体４１側に設けられた封止ピン６５と、裏ケース体４２側に設けられたピン嵌合部６６とで構成されており、表ケース体４１と裏ケース体４２とがロック状態のときに封止ピン６５が押し込まれることにより、この封止ピン６５がピン嵌合部６６に離脱操作不可能な状態で嵌合すると共に表ケース体４１側の規制片（図示省略）に係合して、表ケース体４１の裏ケース体４２に対するアンロック状態側へのスライド、即ち主基板ケース２４の開封を阻止するようになっている。主基板ケース２４を開封する際には、表ケース体４１側の規制片をニッパー等により切断、除去して、表ケース体４１の裏ケース体４２に対するアンロック状態側へのスライドを許容してやればよい。このように、基板ケースが開封された場合には規制片の部分に必ず痕跡が残るようになっている。なお、封止手段４３は複数、例えば二つ設けられており、一旦開封した後に再度封止することが可能となっている。
【００２４】
貼付ベース部４５は、例えば主基板ケース２４における封止手段４３とは反対側の辺上に設けられており、図５〜図７等に示すように、表ケース体４１側の表ケース側ベース部４５ａと、裏ケース体４２側の裏ケース側ベース部４５ｂとを備え、表ケース体４１と裏ケース体４２とがロック状態となったとき、表ケース側ベース部４５ａと裏ケース側ベース部４５ｂとがスライド方向に互いに一致して１つの箱状体を形成するように構成されている。
【００２５】
表ケース側ベース部４５ａと裏ケース側ベース部４５ｂとは、例えば主制御基板２３と平行な平面に対して略対称に形成されており、各ケース体４１，４２の各周壁部５５，５７から外向きに突設され且つ互いに平行な矩形状に形成された一対の対向ベース板７１ａ，７１ｂと、これら対向ベース板７１ａ，７１ｂの先端側の縁部から互いに対向する側に延設された先端ベース板７２ａ，７２ｂと、対向ベース板７１ａ，７１ｂの両側の縁部から先端ベース板７２ａ，７２ｂと同方向に延設された側端ベース板７３ａ，７３ｂとを備え、表ケース体４１と裏ケース体４２とがロック状態となったとき、先端ベース板７２ａ，７２ｂが面一となって１つの先端ベース板７２を形成し、また側端ベース板７３ａ，７３ｂも一対の側端ベース板７３，７３を形成するようになっている。また、側端ベース板７３ａ，７３ｂは、対向ベース板７１ａ，７１ｂ側の各縁部が対向ベース板７１ａ，７１ｂの表面よりも外側に突設されて夫々案内リブ７４を形成している。
【００２６】
この貼付ベース部４５上の封印シール貼付部４４は、例えば２つの屈曲部４４ｄ，４４ｅを介して連続する３つの貼付面４４ａ〜４４ｃにより断面コの字型に形成されており、対向ベース板７１ａの外面側が表貼付面（第１貼付面）４４ａ、先端ベース板７２の外面側が中央貼付面４４ｂ、対向ベース板７１ｂの外面側が裏貼付面４４ｃとなっている。なお、表貼付面４４ａは、主制御基板２３の電子部品装着面２３ａと同じ向きに配置されている。屈曲部４４ｄは、表貼付面４４ａと中央貼付面４４ｂとを略直角に連結しており、例えば所定半径のＲ状に形成されている。同じく屈曲部４４ｅは、中央貼付面４４ｂと裏貼付面４４ｃとを略直角に連結しており、例えば所定半径のＲ状に形成されている。
【００２７】
また、貼付ベース部４５上には、表貼付面４４ａと裏貼付面４４ｃとに対応して、対向ベース板７１ａ，７１ｂの板厚方向に貫通する一対の開口部７５，７５が形成され、また側端ベース板７３，７３上には一対の第１被係合部７６，７６が例えば貫通状に形成されている。
【００２８】
開口部７５は、例えば対向ベース板７１ａ，７１ｂの略中央に対応して所定方向、例えば貼付ベース部４５の突出方向に沿う長孔状に形成されており、その一端側、例えば各表周壁部５５，５７側が円弧状に形成されている。また、被係合部７６は、例えば側端ベース板７３上における各周壁部５５，５７側の端部近傍に、側端ベース板７３ａ，７３ｂに跨って設けられている。
【００２９】
シールカバー４７は、封印シール貼付部４４に貼付された封印シール４６の表面を覆って保護するためのもので、図５〜図７等に示すように、封印シール貼付部４４上に貼付された封印シール４６の表面を覆うカバー部８１と、貼付ベース部４５側の被係合部７６に対応する一対の第１係合部８２とを備え、例えば透明な合成樹脂により一体に形成されている。
【００３０】
カバー部８１は、対向ベース板７１ａ，７１ｂの外面に沿う矩形状に形成された一対の対向カバー部８３，８３と、先端ベース板７２の外面に沿う矩形状に形成された先端カバー部８４とを一体に備えた断面コの字型に形成され、案内リブ７４に沿って貼付ベース部４５の突出方向に着脱可能であり、貼付ベース部４５に装着されたとき、その内面側が封印シール貼付部４４上に貼付された封印シール４６の全面を覆うようになっている。
【００３１】
また、対向カバー部８３，８３上には、貼付ベース部４５側の開口部７５に対応する一対の可動片８５，８５が設けられている。即ち、対向カバー部８３，８３上には、開口部７５の外縁に沿って、その開口部７５の長手方向の一端側（ここでは先端ベース板７２側の端部）を除く例えばＵ字状のスリット８６が形成されており、そのスリット８６の内側の片持ち部分が可動片８５となっている。更に、可動片８５の先端側には、外向きに突出する例えば円形の第２係合部８７が一体に形成されている。
【００３２】
可動片８５は、対向カバー部８３の面外方向に弾性変形可能であり、図１３（ａ）に示すように第２係合部８７全体が対向カバー部８３の表面から突出しない位置まで内向きに押圧されたときにその可動端側が開口部７５内に嵌合し（以下、第２状態という）、図１３（ｂ）に示すように、内向きの押圧が解除されたときにその弾性力によって開口部７５の外側に退避する（以下、第１状態という）ようになっている。
【００３３】
第１係合部８２は、例えば先端カバー部８４の両端側から側端ベース板７３の外面に沿って周壁部５５，５７側に突設されており、側端ベース板７３の面外方向に弾性変形可能となっている。また、第１係合部８２の先端側には、その対向面側に、第１被係合部７６に係合する爪部８２ａが、先端側に向けて細くなるテーパー状に形成されている。
【００３４】
シールカバー４７を貼付ベース部４５に装着する際には、このテーパー状の爪部８２ａに案内されて第１係合部８２が外向きに弾性変形した状態で側端ベース板７３の外面を摺動し、カバー部８１が封印シール貼付部４４の全面を完全に覆ったとき、第１係合部８２の内向きの付勢力によって爪部８２ａが第１被係合部７６に係合して、シールカバー４７の離脱方向の移動を阻止するようになっている。
【００３５】
外カバー４８は、シールカバー４７の第１係合部８２を外部からの解除操作が不可能な状態に覆うためのもので、図５〜図７に示すように、シールカバー４７のカバー部８１を覆う本体カバー部４８ａと、この本体カバー部４８ａの両側部で第１係合部８２を覆うサイドカバー部４８ｂとを備え、例えば透明な合成樹脂により、一面側が着脱口８９として開放された略箱形に一体形成されている。そして、シールカバー４７と共に貼付ベース部４５に装着されたとき、着脱口８９側の縁部が周壁部５５，５７に当接又は近接して、外カバー４８の外側から貼付ベース部４５の全体を覆うようになっている。
【００３６】
本体カバー部４８ａは、カバー部８１の外面側を略隙間なく覆う略コの字型に形成されており、対向ベース板７１ａ，７１ｂの外面を覆う部分には、第２係合部８７に対応する第２被係合部９１が、板厚方向に貫通する開口状に形成されている。この第２被係合部９１は、外カバー４８がシールカバー４７を完全に覆う状態に装着されたとき、第１状態に付勢されている可動片８５上の第２係合部８７が内側から嵌合して、外カバー４８に対するシールカバー４７の離脱方向の移動を阻止するようになっている。
【００３７】
なお、第２係合部８７が第２被係合部９１に嵌合した状態では第２係合部８７の先端面８７ａが外部に露出するため、この先端面８７ａを内向きに押圧して可動片８５を第２状態まで変形させることにより、第２係合部８７の第２被係合部９１に対する係合を解除して外カバー４８をシールカバー４７から取り外すことができる。逆に外カバー４８をシールカバー４７に装着する際にも、第２係合部８７の先端面８７ａ内向きに押圧して可動片８５を第２状態まで変形させた状態で行えばよい。
【００３８】
サイドカバー部４８ｂは、例えばその一部が第１係合部８２に対応する膨出状に形成されているが、第１係合部８２の第１被係合部７６に対する係脱動作を許容するように、第１係合部８２の外側に一定の隙間が形成されている（図１１参照）。
【００３９】
この封印シール貼付部４４に貼付される封印シール４６は、図８に示すように、裏面に予め接着剤が塗布された接着面が形成され、表面側に各種印刷等が施された略矩形状のベースシート１０１を備えており、以下に示すような各種の不正対策措置が施されている。
【００４０】
まず、ベースシート１０１は、溶剤に反応して発色する基材で形成されている。これにより、溶剤を用いて当該封印シール４６を剥がし取った場合にはベースシート１０１上にその痕跡が残るため、その剥がし取った封印シール４６で再び封印しようとしても元通りの状態を再現することはできず、溶剤剥がしの不正行為を効果的に防止できる。
【００４１】
また、ベースシート１０１の外周１０１ａは例えば鋸刃状に形成されている。これにより、例えば溶剤等を用いることなく封印シール４６をその外周部から物理的に剥がし取ろうとした場合、Ｖ字状の切り欠き部分に力が集中して破れやすく、痕跡を残すことなくきれいに剥がし取ることは極めて困難である。
【００４２】
また、ベースシート１０１上には、その内部に複数の切込み部１０２ａ，１０２ｂが形成されている。この切込み部１０２ａ，１０２ｂは、図８（ａ）における縦方向又は横方向（以下、単に縦方向、横方向という）のうち、例えば縦方向の両端側の縁部に沿う一対の縁部帯状領域（特定帯状領域）１０３ａ，１０３ｃと、それら一対の縁部帯状領域１０３ａ，１０３ｃの中間に配置される中央帯状領域（特定帯状領域）１０３ｂとにそれぞれ例えば略等間隔で一列上に配置されている。また、縁部帯状領域１０３ａと中央帯状領域１０３ｂとの間、中央帯状領域１０３ｂと縁部帯状領域１０３ｃとの間には、それぞれ切込み部１０２ａ，１０２ｂを配置しない所定幅の非特定帯状領域１０４ａ，１０４ｂが、ベースシート１０１の横方向全長（又は略全長）に亘って設けられている。
【００４３】
縁部帯状領域１０３ａ，１０３ｃ上に配置される複数の切込み部１０２ａ，１０２ｂのうち、各縁部帯状領域１０３ａ，１０３ｃの両端部、即ちベースシート１０１における四隅に設けられる計４つの切込み部１０２ａは、例えばベースシート１０１の角部に沿う略鉤型に形成されている。また、それ以外の全ての切込み部１０２ｂは例えばＸ字状に形成されている。
【００４４】
ベースシート１０１上にこのような切込み部１０２ａ，１０２ｂを設けることで、例えば溶剤等を用いることなく封印シール４６を物理的に剥がし取ろうとした場合、切込み部１０２ａ，１０２ｂの端部に力が集中して破れやすく、痕跡を残すことなくきれいに剥がし取ることは極めて困難である。また、ベースシート１０１上には、切込み部１０２ａ，１０２ｂを設けない非特定帯状領域１０４ａ，１０４ｂを設けているため、封印シール４６をＬ字状或いはコの字状に折り曲げて貼付する場合、この非特定帯状領域１０４ａ，１０４ｂに沿って折り曲げることで、切込み部１０２ａ，１０２ｂが折り曲げ部分にかからず、したがって切込み部１０２ａ，１０２ｂ近傍が浮き上がるようなことなく容易且つ確実に封印シール４６を貼付することができ、貼付時に誤って封印シール４６を破損してしまうような事故を未然に防止できる。
【００４５】
また、ベースシート１０１の表面上には、各帯状領域１０３ａ〜１０３ｃ，１０４ａ，１０４ｂと交差する方向（ここでは縦方向）の全長（又は略全長）に亘って帯状のホログラム部１０５が形成されている。このホログラム部１０５は、例えば横方向の中央から左右一方側にずれた位置に配置されている。なお、ホログラム部１０５の印刷パターンは任意である。このようなホログラム部１０５を設けることで、封印シール４６の複製・偽造を効果的に防止できる。
【００４６】
なお、複数の切込み部１０２ａ，１０２ｂのうちの少なくとも一つにおける少なくとも一部をホログラム部１０５上に配置してもよい。本実施形態では、図８に示すように、縁部帯状領域１０３ａ，１０３ｃ及び中央帯状領域１０３ｂ上の各一つの切込み部１０２ｂが、ホログラム部１０５とその外側とに跨がるように形成されている。
【００４７】
また、ベースシート１０１の表面上（ホログラム部１０５の配置位置を除く）には、複数種類の模様、文字、図形等が印刷されている。まず、ベースシート１０１の外周に沿って第１微細模様１０６ａが、それよりも内側の所定箇所に第２微細模様１０６ｂがそれぞれ印刷されている。この微細模様１０６ａ，１０６ｂは、コピーでは正確に再現できない微細な線の組み合わせ等よりなる任意の模様を、細紋印刷技術を用いてベースシート１０１上に印刷したものである。また、ベースシート１０１上の所定箇所、例えば縁部帯状領域１０３ａ，１０３ｃ上にマイクロ文字１０７が印刷されている。このマイクロ文字１０７は、コピーでは正確に再現できない微少文字を製版技術を用いてベースシート１０１上に印刷したものである。このような微細模様１０６ａ，１０６ｂ、マイクロ文字１０７等をベースシート１０１上に印刷することで、封印シール４６の複製・偽造をより効果的に防止できる。
【００４８】
なお、複数の切込み部１０２ａ，１０２ｂのうちの少なくとも一つにおける少なくとも一部を、微細模様１０６ａ，１０６ｂ、マイクロ文字１０７の印刷領域上に配置してもよい。本実施形態では、縁部帯状領域１０３ａ，１０３ｃ上の切込み部１０２ｂの一部分が、マイクロ文字１０７の印刷領域上に形成されている。
【００４９】
また、ベースシート１０１上の所定箇所に、溶剤により溶け出すインキを用いて任意の文字、図形等が印刷された第１，第２セキュリティ印刷部１０８ａ，１０８ｂが形成されている。第１セキュリティ印刷部１０８ａは、例えば中央帯状領域１０３ｂ上に配置されており、例えば「開封禁止」等、当該封印シール４６の開封が禁止されている旨の注意喚起を行うための文字が、例えば石油系の溶剤で溶け出すインキを用いて印刷されている。第２セキュリティ印刷部１０８ｂは、例えば縁部帯状領域１０３ａ，１０３ｃ上に配置されており、例えば所定太さの実線が、エタノール系の溶剤で溶け出すインキを用いて印刷されている。
【００５０】
このような第１，第２セキュリティ印刷部１０８ａ，１０８ｂを設けることにより、石油系或いはエタノール系の溶剤を用いて当該封印シール４６を剥がし取った場合にはベースシート１０１上にその痕跡が残るため、その剥がし取った封印シール４６で再び封印しようとしても元通りの状態を再現することはできず、溶剤剥がしの不正行為をより効果的に防止できる。
【００５１】
なお、複数の切込み部１０２ａ，１０２ｂのうちの少なくとも一つにおける少なくとも一部を、第１，第２セキュリティ印刷部１０８ａ，１０８ｂ上に配置してもよい。本実施形態では、中央帯状領域１０３ｂ上の切込み部１０２ｂの一部分が第１セキュリティ印刷部１０８ａ上に形成され、また縁部帯状領域１０３ａ，１０３ｃ上の切込み部１０２ｂの一部分が第２セキュリティ印刷部１０８ｂ上に形成されている。
【００５２】
また、ベースシート１０１上には複数（ここでは２つ）の識別情報１０９ａ，１０９ｂが印刷されている。第１識別情報１０９ａは、例えば封印シール４６毎に割り振られた個別のシリアル番号で、所定桁数の英数字等により構成されており、例えばホログラム部１０５の一方側（ここでは図８（ａ）における左側）で且つ縁部帯状領域１０３ａと中央帯状領域１０３ｂとの間の非特定帯状領域１０４ａ上に印刷されている。第２識別情報１０９ｂは、例えば第１識別情報とは別に封印シール４６毎に割り振られた管理番号で、例えば一次元コード、二次元コード等（ここでは二次元コード）に変換されており、例えばホログラム部１０５の他方側（ここでは図８（ａ）における右側）で且つ縁部帯状領域１０３ａとこれに隣接する非特定帯状領域１０４ａとに跨がって印刷されている。
【００５３】
なお、第１，第２識別情報１０９ａ，１０９ｂ上には切込み部１０２ａ，１０２ｂを形成しないことが望ましい。
【００５４】
以上のような主基板ケース２４を組み立てる際には、まず表ケース体４１の内側に主制御基板２３を装着、固定し、その表ケース体４１の裏側から裏ケース体４２を嵌め合わせ、係合爪６１を夫々切欠部６２に嵌合させてアンロック状態とする（図９（ａ）→（ｂ））。このとき、表ケース側ベース部４５ａと裏ケース側ベース部４５ｂとはスライド方向にずれた位置にある。
【００５５】
次に、表ケース体４１と裏ケース体４２とを互いに相対的にスライドさせて、各係合爪６１を係合部６３に係合させ、表ケース体４１と裏ケース体４２とを閉状態でロックする（図９（ｂ）→（ｃ））。これにより、表ケース側ベース部４５ａと裏ケース側ベース部４５ｂとがスライド方向に互いに一致して貼付ベース部４５が形成される。
【００５６】
そして、複数のうちの一つの封止手段４３の封止ピン６５を押し込んで主基板ケース２４を閉状態で封止する（図示省略）と共に、貼付ベース部４５上の封印シール貼付部４４に、封印シール４６をコの字型に折り曲げつつ表貼付面４４ａ，中央貼付面４４ｂ，裏貼付面４４ｃに跨がるように貼付する（図９（ｃ））。
【００５７】
このとき、封印シール４６は、ホログラム部１０５が屈曲部４４ｄ，４４ｅと交差して表貼付面４４ａ，中央貼付面４４ｂ，裏貼付面４４ｃに跨がり、且つ第１識別情報１０９ａと第２識別情報１０９ｂとが共に表貼付面（第１貼付面）４４ａ上に位置するように貼付する。これにより、封印シール４６は屈曲部４４ｄ，４４ｅに沿って非特定帯状領域１０４ａ，１０４ｂでそれぞれ略直角に屈曲するため（図８（ｂ））、切込み部１０２ａ，１０２ｂが屈曲部４４ｄ，４４ｅにかかることがなく、したがって切込み部１０２ａ，１０２ｂ近傍が浮き上がるようなことなく容易且つ確実に封印シール４６を貼付することができ、貼付時に誤って封印シール４６を破損してしまうような事故を未然に防止できる。
【００５８】
続いて、この封印シール４６を保護するべく、貼付ベース部４５にシールカバー４７と外カバー４８とを装着するが、その装着順序が重要であり、まず外カバー４８内にシールカバー４７を装着する。即ち、シールカバー４７の両面側に突出する一対の第２係合部８７，８７を内向きに押圧し、可動片８５をその弾性力に抗して第２状態まで変形させ、その状態で第２係合部８７，８７を外カバー４８の着脱口８９の内側に挟み込ませるようにシールカバー４７を外カバー４８内に挿入する（図１０（ａ））。そして、そのままシールカバー４７を外カバー４８の奥まで押し込み、第２係合部８７，８７が外カバー４８側の第２被係合部９１，９１の位置に到達すると、可動片８５がその弾性力によって元の第１状態に復帰し、第２係合部８７，８７が第２被係合部９１，９１に内側から嵌合してシールカバー４７と外カバー４８とが一体化された状態となる（図１０（ｂ））。
【００５９】
続いて、その一体化されたシールカバー４７と外カバー４８との開口側を、貼付ベース部４５の先端側に嵌め込んで奥までスライドさせる（図１１（ａ）→（ｂ））。このとき、シールカバー４７の第１係合部８２は、テーパー状の爪部８２ａに案内されてサイドカバー部４８ｂ内で外向きに弾性変形した状態で側端ベース板７３の外面を摺動し（図１１（ａ））、カバー部８１が封印シール貼付部４４の全面を完全に覆ったとき、第１係合部８２の内向きの弾性力によって爪部８２ａが第１被係合部７６に係合する（図１１（ｂ））。これにより、シールカバー４７の貼付ベース部４５に対する離脱方向の移動が阻止される。しかも、第１係合部８２と第１被係合部７６との係合部分は外カバー４８によって完全に覆われているため、外カバー４８の外側からそれらの係合を解除することはできない。従って、シールカバー４７を貼付ベース部４５から取り外して封印シール４６を再び露出させるためには、先に外カバー４８を取り外して第１係合部８２の解除操作ができる状態にしなければならない。
【００６０】
以上のように組み立てられた主基板ケース２４は、図１２に示すように、主制御基板２３の電子部品装着面２３ａが後向きとなるように遊技盤５の背面側（遊技機本体１の後側）に装着される。このとき、封印シール貼付部４４は表貼付面（第１貼付面）４４ａが後向きとなるため、封印シール４６上の第１識別情報１０９ａと第２識別情報１０９ｂとは共にシールカバー４７及び外カバー４８を介して遊技機本体１の後側から視認可能な状態となる。これにより、例えば前枠３を開いて第１識別情報１０９ａを目視にて確認し、或いは二次元コードリーダ等により第２識別情報１０９ｂをスキャンする作業を極めて容易に行うことができる。
【００６１】
検査等のために主基板ケース２４を開封する場合には、封止手段４３による封止を解除すると共に、外カバー４８、シールカバー４７の順に貼付ベース部４５から取り外す。外カバー４８を取り外す際には、第２被係合部９１，９１に嵌合している第２係合部８７，８７を内向きに押圧して第２被係合部９１，９１への係合を解除し（図１３（ａ））、その状態で外カバー４８を引き抜けばよい（図１３（ｂ））。
【００６２】
しかしながらその際、可動片８５が内向きに弾性変形して第２状態となり、可動端側が開口部７５内に嵌合するため、封印シール４６上の開口部７５に対応する部分が面外方向に押されて破損する（図１３（ａ））。即ち、本実施形態のパチンコ機では、封印シール４６を露出させる際にはシールカバー４７よりも先に外カバー４８を取り外す必要があり、またその外カバー４８を取り外す際には必ず封印シール４６が破損するようになっている。
【００６３】
外カバー４８を取り外せば、第１係合部８２が露出するため、この第１係合部８２の第１被係合部７６への係合を解除し（図１４（ａ））、そのままシールカバー４７を引き抜くことによって貼付ベース部４５から容易に取り外すことができる（図１４（ｂ））。
【００６４】
また、例えば外カバー４８、シールカバー４７を破壊する等の手段により、封印シール４６を破損することなく外カバー４８、シールカバー４７を貼付ベース部４５から取り外したとしても、封印シール４６を封印シール貼付部４４からきれいに剥がし取ることは容易ではない。即ち、封印シール４６のベースシート１０１は、溶剤に反応して発色する基材で形成されており、更にベースシート１０１上には、石油系の溶剤で溶け出すインキを用いて印刷された「開封禁止」等の文字よりなる第１セキュリティ印刷部１０８ａと、エタノール系の溶剤で溶け出すインキを用いて印刷された所定太さの実線等よりなる第２セキュリティ印刷部１０８ｂとが設けられているため、溶剤を用いて当該封印シール４６を剥がし取った場合にはベースシート１０１上に必ずその痕跡が残り、その剥がし取った封印シール４６で再び封印しようとしても元通りの状態を再現することはできない。
【００６５】
また、ベースシート１０１の外周１０１ａは例えば鋸刃状に形成されており、また内部には複数の切込み部１０２ａ，１０２ｂが形成されているため、溶剤等を用いることなく封印シール４６を物理的に剥がし取ろうとしても破れやすく、痕跡を残すことなくきれいに剥がし取ることは極めて困難である。
【００６６】
更に、ベースシート１０１の表面上にはホログラム部１０５が形成されると共に、細紋印刷技術を用いて第１，第２微細模様１０６ａ，１０６ｂが、製版技術を用いてマイクロ文字１０７がそれぞれ印刷されているため、封印シール４６を忠実に複製・偽造することは極めて困難である。
【００６７】
以上、本発明の実施形態について詳述したが、本発明はこれらの実施形態に限定されるものではなく、本発明の趣旨を逸脱しない範囲で種々の変更が可能である。例えば、実施形態では、封印シール貼付部４４を二つの屈曲部を有する断面略コの字状に形成した例を示したが、封印シール貼付部４４は、図１５に示すように屈曲部のない平面状に形成してもよいし、図１６に示すように一つの屈曲部を有する断面Ｌ字状に形成してもよい。
【００６８】
図１５，図１６の例では、主基板ケース２４が閉状態のときに、表ケース体４１側の対向ベース板７１ａ、側端ベース板７３ａと裏ケース体４２側の対向ベース板７１ｂ、側端ベース板７３ｂが夫々スライド方向に連結されるようになっている。そして、図１５の例では、対向ベース板７１ａ，７１ｂに跨がる一つの平面状の封印シール貼付部４４が形成され、図１６の例では、対向ベース板７１ａ，７１ｂに跨がる第１貼付面４４ａと、裏ケース体４２側の先端ベース板７２上の第２貼付面４４ｂとが、屈曲部４４ｄを介して連結されて一つの断面Ｌ字状の封印シール貼付部４４を形成している。
【００６９】
図１６の例の場合、例えば屈曲部４４ｄに沿って封印シール４６を非特定帯状領域１０４ｂで略直角に屈曲させ、第１，第２識別情報１０９ａ，１０９ｂが第１貼付面４４ａ上に配置されるように貼付する。また、図１５の例の場合は封印シール貼付部４４全体が、図１６の例の場合は第１貼付面４４ａが、それぞれ遊技機本体１の後側を向くように配置することが望ましい。これにより、封印シール４６上の第１識別情報１０９ａと第２識別情報１０９ｂとは共にシールカバー４７及び外カバー４８を介して遊技機本体１の後側から視認可能な状態となるため、例えば前枠３を開いて第１識別情報１０９ａを目視にて確認し、或いは二次元コードリーダ等により第２識別情報１０９ｂをスキャンする作業を極めて容易に行うことができる。
【００７０】
また、図１５，図１６の例の場合、封印シール貼付部４４における表ケース体４１側と裏ケース体４２側との境界線が遊技機本体１の後側を向くように配置されるため、この境界線に沿ってカッター等で封印シール４６を切断することにより主基板ケース２４が開封された場合、再び主基板ケース２４を元通りに戻しても、カッターによる切断部分が遊技機本体１の後側から視認可能な状態となるため、開封があったことを容易に認識できるという利点もある。
【００７１】
実施形態では、一対の縁部帯状領域１０３ａ，１０３ｃとそれらの中間の中央帯状領域１０３ｂとにそれぞれ一列状に切込み部１０２ａ，１０２ｂを配置した例を示したが、例えば一対の縁部帯状領域１０３ａ，１０３ｃにのみ切込み部１０２ａ，１０２ｂを配置し、それらの間を非特定帯状領域としてもよい。
【００７２】
ホログラム部１０５は、各帯状領域１０３ａ〜１０３ｃ，１０４ａ，１０４ｂと平行に配置してもよいし、斜め方向に配置してもよい。また、ベースシート１０１における縦横何れかの縁部に沿ってホログラム部１０５を配置してもよい。
【００７３】
実施形態では、シールカバー４７と外カバー４８とよりなる封印シールカバーを設けた例を示したが、封印シールカバーは封印シール４６上の識別情報等を外から視認可能なものであればよく、その構成は任意である。また封印シールカバーは必須ではない。
【００７４】
また、実施形態では本発明をパチンコ機に適用した例を示したが、アレンジボール機、スロットマシン等の各種遊技機において同様に実施可能であることは言うまでもない。
【符号の説明】
【００７５】
２３    主制御基板（基板）
２４    主基板ケース（基板ケース）
４１    表ケース体（甲ケース体）
４２    裏ケース体（乙ケース体）
４４    封印シール貼付部
４４ａ  表貼付面（貼付面）
４４ｂ  中央貼付面（貼付面）
４４ｃ  裏貼付面（貼付面）
４４ｄ  屈曲部
４４ｅ  屈曲部
４６    封印シール
１０２ａ  切込み部
１０２ｂ  切込み部
１０５    ホログラム部
【図１】
0005890347.tif 000002
【図２】
0005890347.tif 000003
【図３】
0005890347.tif 000004
【図４】
0005890347.tif 000005
【図５】
0005890347.tif 000006
【図６】
0005890347.tif 000007
【図７】
0005890347.tif 000008
【図８】
0005890347.tif 000009
【図９】
0005890347.tif 000010
【図１０】
0005890347.tif 000011
【図１１】
0005890347.tif 000012
【図１２】
0005890347.tif 000013
【図１３】
0005890347.tif 000014
【図１４】
0005890347.tif 000015
【図１５】
0005890347.tif 000016
【図１６】
0005890347.tif 000017